(57)【特許請求の範囲】
【請求項１】
帯板の一サイドにフック手段が形成されると共に他サイドにロック手段が形成されているコイン通路用のベース板と、矩形板の一サイドが前記フック手段に掛け止め自在になると共に他サイドが前記ロック手段と噛み合い自在になるコイン通路用のカバー板と、このカバー板と前記ベース板との間に固定されて前記コイン通路の幅ならびに高さを形成するためのスペイサと、を備えていることを特徴としたエスカレータ装置。
【請求項２】
請求項１の記載において、前記スペイサが一対になっており前記カバー板の各サイド内面にそれぞれ固定されていることを特徴としたエスカレータ装置。
【請求項３】
請求項１あるいは請求項２の記載において、前記カバー板に窓が形成され且つ当該窓の縁に補強リブが形成されていることを特徴としたエスカレータ装置。
【発明の詳細な説明】
【０００１】
【発明の属する技術分野】
本発明はコインを一個ずつ平らに一列に並べて移送するためのエスカレータ装置に関する。
とくに本発明はコインを上方向や横方向に一列に並べて移送するためのコイン・エスカレータ装置に関する。
本発明は具体的には自動販売機や通貨の両替機などに使用されるコイン・エスカレータ装置に関するものである。
さらに本発明はメダル使用のゲーム機やメダル貸出し機などに使用されるコイン・エスカレータ装置に関するものである。
【０００２】
なお本明細書の用語「コイン」には通貨である小円板形の硬貨を含むことは勿論である。
また本明細書の用語「コイン」にはゲーム等に使用される小円板形のメダルやトークンなどを含むことは勿論である。
言い換えると本明細書の用語「コイン」には小形の円板形状体を含むことは勿論である。
【従来の技術】
コインのエスカレータ装置は従来から種々のものが開発されて来ている。
たとえば本件出願人によるコイン・エスカレータ装置が特願平１０−２５４５１２号に開示されている。
【０００３】
特願平１０−２５４５１２号に開示されたエスカレータ装置が図３に概略的に示されている。
ここで図３の斜面図に基づいてエスカレータ装置の使用例を概略的に説明する。
まず図３下方部のＨはコインのホッパ装置であり当該ホッパ装置Ｈは略じょうご形のタンクＴを備える。
このホッパ装置ＨはタンクＴ内に多数のコイン（図示略）を収納してコインを一個ずつ斜め上方に押し出す。
すなわち斜めのベース板Ｂの下にギア列をもつ電気モータＥが取り付けられてタンクＴ内底のディスクＤが回転される。
【０００４】
回転されるディスクＤの貫通孔（図示略）を介在してコインは一個ずつベース板Ｂに沿って斜め上方に押し出される。
ホッパ装置Ｈから押し出されたコインはエスカレータ装置１０を介在して一個ずつ上方に移送される。
従来例のエスカレータ装置１０は大きく分けて湾曲部３０と平坦部５０と放出部７０とに分けることができる。
平坦部５０は図４に示されるようにやや長い矩形のベース板５１を有する。
なおベース板５１の下端部５２は接続のために屈曲されている。
ベース板５１の両サイドにはそれぞれボルト（図示略）用のナット孔５３が複数個開口されている。
【０００５】
そしてベース板５１の上部両サイドには位置決め用の小さい楕円孔５４が所望個数開口されている。
右サイドには例えばコインの種類を考慮して二段で合計六個の楕円孔５４が開口されている。
さらにベース板５１の下部両サイドには位置決め用の小孔５５が所望個数開口されている。
たとえば右サイドにはコインの種類を考慮して一段で合計六個の小孔５５が連続して開口されている。
さらに矩形のベース板５１の右サイドには細長いスペイサ５６が位置決めされる。
【０００６】
まずスペイサ５６の上部に形成されたネジ孔５７にビス５８が螺着貫通される。
そして螺着貫通されたビス５８の先端部が所望の楕円孔５４に嵌め込まれて位置決めされる。
またスペイサ５６の下部に形成された突き出し部５９が所望の小孔５５に填め込まれて位置決めされる。
なお図２の場合、スペイサ５６にネジ孔５７が二個形成されている。
またスペイサ５６には複数個のナット孔５３に対応して複数個の横長孔６０がそれぞれ形成されている。
またスペイサ５６の中央には固定用のネジ孔６１が形成されている。
さらに少し細長いカバー板６３がスペイサ５６の上に位置決めされる。
【０００７】
まず螺着されたビス５８の頭部がカバー板６３の上部に形成された縦長孔６４内に嵌め込まれて位置決めされる。
そして突き出し部５９の窪みにカバー板６３の下部に形成された突き出し部１６４が嵌め込まれて位置決めされる。
なおカバー板６３にも複数個のナット孔５３に対応して複数個の横長孔６５がそれぞれ形成されている。
またカバー板６３の中央には固定用のネジ孔６６が形成されている。
かくして固定用のビス（図示略）がネジ孔６６と６１に螺着されるとカバー板６３とスペイサ５６とが固定される
【０００８】
さらにボルト（図示略）が横長孔６５と６０に挿入されてナット孔５３に螺着されると板状の平坦部５０になる（図３を参照）。
なお平坦部５０の左サイド部もほぼ同様にしてベース板５１の左サイドに細いスペイサ６２が位置決めされる。
さらにスペイサ６２の上にほぼ同様にして少し細長いカバー板６８が位置決めされて固定される。
すなわちカバー板６８の円孔６９にボルト（図示略）が挿入されベース板５１のナット孔（図示略）に螺着されて固定される。
【発明が解決しようとする課題】
【０００９】
しかしながら上述したような従来のエスカレータ装置はコイン詰まりが発生し易いという問題点があった。
たとえば異形コインが混入しているとエスカレータ装置にコイン詰まりが発生するという問題点があった。
またコインに異物が混入しているとエスカレータ装置にコイン詰まりが発生するという問題点があった。
本発明はエスカレータ装置のコイン詰まりを容易に解消する目的から開発されたものである。
言い換えると本発明はエスカレータ装置のメンテナンスを簡単化する目的から開発されたものである。
【００１０】
加えて本発明の目的は適用コインの変更があっても簡単に変更できるエスカレータ装置の提供にある。
【課題を解決するための手段】
本発明は、帯板の一サイドにフック手段が形成されると共に他サイドにロック手段が形成されているコイン通路用のベース板と、矩形板の一サイドが前記フック手段に掛け止め自在になると共に他サイドが前記ロック手段と噛み合い自在になるコイン通路用のカバー板と、このカバー板と前記ベース板との間に固定されて前記コイン通路の幅ならびに高さを形成するためのスペイサと、を備えていることを特徴としたエスカレータ装置である。
【００１１】
また本発明は、前記スペイサが一対になっており前記カバー板の各サイド内面にそれぞれ固定されていることを特徴としたエスカレータ装置である。
また本発明は、前記カバー板に窓が形成され且つ当該窓の縁に補強リブが形成されていることを特徴としたエスカレータ装置である。
【発明の実施の形態】
以下に本発明を其の実施について添付図面を参照しつつ説明する。
図１は本発明による一実施例を示す概略的な正面図である。
図２は図１の要部を説明するための概略的な断面図である。
本発明による一実施例のエスカレータ装置は長い帯板形の金属からなるベース板１１を備えている。
【００１２】
ベース板１１の左サイドには等間隔に小さいフック１２が形成され此の各フック１２は更に後ろ側に屈曲されている（図２を参照）。
ベース板１１の右サイド適所には少し大きい突起が形成されている。
この突起は更に後ろ側に湾曲されて細長い筒部１３に形成されている。
図２の右サイドに示される符号１５は鋼線いわゆるスチール線で形成された枢軸である。
この枢軸１５は小形のコロ１６が回転自在に貫通され更に各端部が屈曲されてほぼＵ形に屈曲されている。
そして枢軸１５の各端部は更に屈曲されて筒部１３内にそれぞれ回転自在に挿入されている。
【００１３】
ベース板１１の表面には金属製の矩形になる長いカバー板２１が着脱自在に取り付けられている。
カバー板２１の左サイドには複数の突起２２が形成され此の各突起２２は更に後ろ側に屈曲されている（図２を参照）。
そして突起２２にはベース板１１のフック１２を貫入するための孔２３がそれぞれ形成されている。
なおカバー板２１の右サイド表面には浅い溝２５が縦全体に形成されている。
カバー板２１の裏面には金属製あるいは樹脂製のスペイサ３１と３２がそれぞれ固定されている。
細長いスペイサ３１はカバー板２１の左サイド裏面に固着されている。
【００１４】
また少し幅の広いスペイサ３２はカバー板２１の右サイド裏面に固着されている。スペイサ３１と３２の間のカバー板２１には細長い窓２６と２７が適宜に開口されている。なお窓２６と２７を形成するカバー板２１には適宜に補強リブ２９が形成されている。たとえば補強リブ２９は窓２６と２７縁のカバー板２１が切り起こされて形成されている。
上述の構成からなる本実施例のエスカレータ装置は長いベース板１１に短いカバー板２１が取り付けられる。
【００１５】
すなわちベース板１１のフック１２にカバー板２１の突起２２を合わせる。
そして孔２３内にフック１２を貫入する（図２（Ｃ）の鎖線を参照）。
こののちフック１２をほぼ中心にしてカバー板２１を回転しベース板１１に重ねる。
この場合、図示のようにフック１２の屈曲形状を湾曲しておくと回転が容易になることは勿論である。
また図示のようにスペイサ３１を細くしておくと回転が容易になることは勿論である。
つぎにカバー板２１をベース板１１に重ねてのちコロ１６を回転しつつ移動して浅い溝２５に填め込む。
【００１６】
すなわち枢軸１５とカバー板２１の弾性に抗してコロ１６を浅い溝２５に填め込んで全体をロックする。
この結果、ベース板１１にカバー板２１が固定されることになってコインの通路Ｐが形成される。
なお図示のようにスペイサ３２を細くしておくとカバー板２１の弾性が増加することは勿論である。
またカバー板２１の外縁を少し湾曲しておくとコロ１６のロックが容易になることは勿論である。
かくして通路Ｐ内にコイン詰まりが発生するとカバー板２１をベース板１１からワンタッチで取り外すことができる。
【００１７】
コロ１６を枢軸１５とカバー板２１の弾性に抗して浅い溝２５から外すとカバー板２１はフック１２中心に回転できることになる。
したがって此の時点で通路Ｐ内のコイン詰まりを解消することが出来る。
またカバー板２１をフック１２中心に回転してベース板１１から離しフック１２からカバー板１２を取り外すことも出来る。
この結果、通路Ｐ内のコイン詰まりを完全に解消できることになる。
なおフック１２と突起２２と孔２３は例えばフック手段を構成している。
フック手段のフック１２は板状でなくピン形状であっても良いことは勿論である。
またフック手段のフック１２は板状でなく更に屈曲されていても良いことは勿論である。
【００１８】
筒部１３と枢軸１５とコロ１６と浅い溝２５は例えばロック手段を構成している。
ロック手段は図示を省略したがカム体を利用するようにしても良いことは勿論である。
また同一種類のカバー板２１に種々のスペイサ３１と３２を固定しておくとコインの変更に対応できる。
すなわちコイン通路の幅と高さを決めるスペイサ３１と３２を種々に揃えると種々のコイン変更に対応できる。
またカバー板２１の窓２６と２７縁に補強リブ２９を形成しておくとドライバなどでこじ開けても簡単に曲がらないことになる。
なおベース板１１ならびにカバー板２１は樹脂製でも良いことは勿論である。
【００１９】
【発明の効果】
以上のように本発明によるとコイン通路を形成するベース板にカバー板をワンタッチで取り付け取り外しできる。
したがって本発明によるエスカレータ装置はコイン詰まりを簡単に解消できることになる。
言い換えると本発明によるとエスカレータ装置のメンテナンスを極めて簡単化できることになる。
さらに本発明によるとコイン通路の幅と高さを形成するスペイサをカバー板に固定するため種々のコイン変更に簡単に対応できる。
【００２０】
言い換えると本発明のエスカレータ装置は使用コインを変更しても適用コインに簡単に対応できることになる。
【図面の簡単な説明】
【図１】図１は本発明による一実施例を示す概略的な正面図である。
【図２】図２は図１の要部を説明するための概略的な断面図である。
【図３】図３は従来例を示す斜面図である。
【図４】図４は図３の要部を示す斜面図である。
【符号の説明】
フック手段・・・
１２：フック、
２２：突起、
２３：孔、
ロック手段・・・
１３：筒部、
１５：枢軸、
１６：コロ、
２５：溝、
１１：コイン通路用のベース板、
２１：コイン通路用のカバー板、
３１，３２：スペイサ。
【図１】
0004065905.tif 000002
【図２】
0004065905.tif 000003
【図３】
0004065905.tif 000004
【図４】
0004065905.tif 000005